(57)【特許請求の範囲】
【請求項１】
細長筒状に形成された釣竿本体と、
釣竿本体の後端部に設けられたグリップとを有し、
グリップには、元節とグリップとが固着された状態で釣竿の元節の径方向に元節の中心から偏心した位置を貫通している貫通孔が設けられており、
この貫通孔が元節の外周面より元節の径方向外側に位置しており、
この貫通孔が上記釣竿本体の長手方向に沿って複数並設されている釣竿。
【請求項２】
金属からなるウエイトピンが上記貫通孔に着脱自在に設けられている請求項１に記載の釣竿。
【請求項３】
上記ウエイトピンは、紐ないしロープが着脱自在に連結されるロープ連結部を備えている請求項２に記載の釣竿。
【発明の詳細な説明】
【技術分野】
【０００１】
本発明は、釣竿、特に釣人が把持するグリップの構造に関するものである。
【背景技術】
【０００２】
釣人は、実釣時に釣竿を把持し操作する。例えば投釣り等においては、釣人は、仕掛けを遠方までキャストする。このため、釣人にとって釣竿が操作しやすいように、一般に釣竿の後端部にグリップが設けられている。このグリップは、従来から種々の改良が施されている（例えば、特許文献１、特許文献２参照）。また、投釣り等においては、釣人は、仕掛けをキャストした後、釣竿を所定の姿勢に配置し、ターゲットとなる魚のヒットを待つ。このとき釣竿は、一般に竿保持用三脚に立てかけられる。
【０００３】
【特許文献１】特開２００２−３４５３６６号
【特許文献２】特開２００２−３６０１３２号
【発明の開示】
【発明が解決しようとする課題】
【０００４】
釣竿が上記竿保持用三脚等に立てかけられている状態で、仕掛けに大形の魚がヒットしたときには、場合によっては、釣竿が海中に引き込まれるおそれがある。そのため、釣人は常時釣竿を監視する必要があるが、投釣りでは、複数の釣竿が使用されることも多く、実釣時にすべての釣竿を監視することは、釣人にとって負担が大きい。
【０００５】
そこで、本発明の目的は、グリップのさらなる改良により、釣人にとって操作し易く且つ釣り場に固定し得る釣竿を提供することである。
【課題を解決するための手段】
【０００６】
(1) 上記目的が達成されるため、本発明に係る釣竿は、細長筒状に形成された釣竿本体と、釣竿本体の後端部に設けられたグリップとを有し、グリップには、釣竿の元節の径方向に元節の中心から偏心した位置を貫通した貫通孔が設けられている。この貫通孔が元節の外周面より元節の径方向外側に位置している。
【０００７】
この構成によれば、グリップに貫通孔が設けられているので、紐ないしロープ等の釣竿を固定することができる部材がこの貫通孔に連結され得る。
【０００８】
(2) 上記貫通孔は、上記釣竿本体の長手方向に沿って複数並設されているのが好ましい。この構成では、釣人の所望の貫通孔に上記紐ないしロープが連結され得る。しかも、上記貫通孔には、釣竿の重量バランスを調整するバランスウエイトが装着され得る。したがって、釣人の所望の貫通孔にバランスウエイトが装着されることにより、釣竿は、釣人の所望する重量バランスに調整されることができる。
【０００９】
(3) 上記貫通孔には、金属からなるウエイトピンが着脱自在に設けられているのが好ましい。このウエイトピンが設けられることによって、釣竿は、その重量バランスが調整される。釣人は、ウエイトピンの位置を変更することによって、所望する釣竿の重量バランスを実現することができる。
【００１０】
(4)  特に上記ウエイトピンは、紐ないしロープが着脱自在に連結されるロープ連結部を備えていることが望ましい。この構成では、ウエイトピンに紐ないしロープが連結されるので、当該ウエイトピンは、ロープを連結する部材を兼ねる。
【発明の効果】
【００１１】
本発明によれば、グリップに紐ないしロープ等が連結され得るので、例えば投釣り等にように仕掛けがキャストされた後、釣竿が三脚等に保持される場合であっても、釣人は、安心して魚のヒットを待つことができる。具体的には、釣竿が三脚等に保持されているときに、大形の魚が仕掛けにヒットし、仮に釣竿が海中に引き込まれたとしても、釣人が上記紐ないしロープをたぐり寄せることにより、釣竿を回収することができる。
【発明を実施するための最良の形態】
【００１２】
以下、適宜図面が参照されつつ、好ましい実施形態に基づいて本発明が詳細に説明される。
【００１３】
＜第１の実施形態＞
図１は、本発明の第１の実施形態に係る釣竿の正面図である。
この釣竿１０は、投釣り用の竿として構成されており、釣竿本体１１と、釣竿本体１１の後端部に設けられたグリップ１２とを備えている。なお、本発明は、投釣り用の釣竿に好適に適用されるが、これに限定されるものではなく、釣竿一般に適用され得るものである。
【００１４】
釣竿本体１１は、複数の節と呼ばれる部材から構成されており、各節１３〜１５は、本実施形態では、いわゆる並継形式により継がれている。各節１３〜１５は、円筒棒状に形成されており、既知の要領で構成される。例えば、各節１３〜１５は、カーボン繊維強化樹脂（カーボンプリプレグ）が所定形状に裁断され、これが筒状に巻回され焼成されることによって構成される。本実施形態では、釣竿本体１１は、第１番節１３、第２番節１４及び第３番節１５から構成されるが、節の本数はなんら限定を受けるものではない。なお、第３番節１５（一般的には、最も外径寸法が大きい節）は、元節と称される。
【００１５】
第３番節１５には、釣用リールが装着されるリールシート部１６が設けられている。また、第１番節１３及び第２番節１４には、釣糸ガイド１７〜２２が固定されている。釣用リールから繰り出された釣糸は、これら釣糸ガイド２２〜１７に挿通支持され、案内される。なお、各節１３〜１５の継形式は、並継に限定されるものではなく、インロー継形式や振出形式等、既知の継形式が採用され得る。
【００１６】
図２は、釣竿１０の要部拡大斜視図であって、グリップ１２部分が詳細に図示されている。図３は、図２におけるIII−III断面図である。
【００１７】
グリップ１２は、樹脂（典型的には、ナイロン、アクリロニトリル−ブタジエン−スチレン共重合体（ＡＢＳ）、ポリブチレンテレフタレート（ＰＢＴ）等）、ゴム（典型的には、アクリロニトリル−ブタジエンゴム（ＮＢＲ）、ウレタンゴム等）のほか、金属（典型的には、アルミニウム合金、ステンレススチール、チタニウム合金等により構成される。グリップ１２は筒状に形成されており、上記第３番節１５（元節）は、グリップ１２の内部に軸方向（長手方向）に沿って挿入されている。この第３番節１５とグリップ１２とは、例えば接着剤等によって固着されている。本実施形態では、第３番節１５の後端に尻栓２３が取り付けられている。尻栓２３は、第３番節１５にねじ込まれている。
【００１８】
グリップ１２は、先端部２４から後端部２５に向かって外形寸法が漸次大きくなるように、紡錘形ないし瓢箪形に形成されている。本実施形態では、図３が示すように、グリップ１２の断面形状は、楕円形状ないし卵形に形成されている。これにより、グリップ１２は、釣人にとって握りやすく、釣人は、キャスティング時に釣竿１０を容易且つ正確にコントロールすることができる。
【００１９】
図３が示すように、グリップ１２には５つの貫通孔２６〜６０が設けられている。各貫通孔２６〜３０は、第３番節１５の長手方向に沿って並設され、且つ各貫通孔２６〜３０は、第３番節１５の径方向に沿って延びている。各貫通孔２６〜３０の両端部は、座ぐり加工されている。もっとも、この座ぐり加工は省略されていてもよい。本実施形態では、５つの貫通孔２６〜３０が設けられているが、貫通孔の数は、なんら限定されるものではなく、少なくとも１つ設けられていればよい。
【００２０】
この釣竿１０では、グリップ１２に上記貫通孔２６〜３０が設けられているので、釣人は、紐ないしロープ等の釣竿を固定することができる部材を貫通孔２６〜３０に挿通し、連結することができる。投釣りでは、釣人は、仕掛けをキャストした後、竿保持用三脚等を用いて釣竿１０を立てかけ、魚のヒットを待つ。このとき、釣人には、大形の魚がヒットした場合に釣竿１０が海中に引き込まれるおそれがあるという不安がある。しかし、釣竿１０のグリップ１２には上記紐等が連結されているから、釣人は、安心して魚のヒットを待つことができるし、当該紐等を用いて当該釣竿１０を釣場に確実に固定することも可能である。
【００２１】
また、上記貫通孔２６〜３０が設けられることにより、これら貫通孔２６〜３０は、釣人が釣竿１０を把持したときにフィンガーレストとして機能する。さらに、釣人が釣竿１０を把持したときには、釣人の指が上記貫通孔２６〜３０に触れるので、魚がヒットしたときに釣人が咄嗟に釣竿１０を把持した場合には、釣人は、グリップ１２の方向（すなわち当該釣竿１０の方向）を瞬時に判断することができるという利点もある。
【００２２】
なお、本実施形態では、上記貫通孔２６〜３０がグリップ１２に並設されているので、釣人は、上記紐等を所望の貫通孔２６〜３０のいずれかに連結することができる。
【００２３】
図４は、本実施形態の変形例に係る釣竿の断面図である。当該変形例に係る釣竿１０では、上記貫通孔２６〜３０は、グリップ１２及び第３番節１５を貫通している。本変形例では、上記各貫通孔２６〜３０は、第３番節１５の中心を貫通するように設けられているが、各貫通孔２６〜３０は、第３番節１５の中心から偏心した位置を貫通するように設けられていてもよい。
【００２４】
＜第２の実施形態＞
図５は、本発明の第２の実施形態に係る釣竿のグリップ部分の断面図である。
本実施形態に係る釣竿４０が上記第１の実施形態に係る釣竿１０と異なるところは、グリップ１２にウエイトピン４１が装着されている点、及びグリップ１２に設けられた貫通孔４６は、ウエイトピン４１が挿通支持される形状に形成されている点である。なお、その他の構成については、上記釣竿１０と同様である。
【００２５】
上記貫通孔４６は、上記第１の実施形態と同様にグリップ１２を第３番節１５の径方向に沿って貫通しており、同図では図示されていないが、第３番節１５の長手方向に沿って複数並設されている。貫通孔４６の両端部４７、４８は、その内径寸法が拡大されている。
【００２６】
上記ウエイトピン４１は、金属（典型的には、真鍮、ステンレススチール、アルミニウム合金、チタニウム合金等）により構成されており、本体４２と固定ナット４３とを備えている。本体４２は、軸部４４及び頭部４５を有しており、軸部４４は、上記貫通孔４６に挿通されるようになっている。本体４２の頭部４５は、その外径寸法が上記貫通孔４６の端部４７の内径寸法に対応されており、当該端部４７に嵌め込まれるようになっている。また、上記固定ナット４３は、その外径寸法が上記貫通孔４６の端部４８の内径寸法に対応されており、当該端部４８に嵌め込まれるようになっている。
【００２７】
同図が示すように、本体４２は、貫通孔４６の端部４７側から挿通され、軸部４４に形成されたねじ部４９に上記固定ナット４３がねじ込まれる。これにより、ウエイトピン４１は、グリップ１２に固定される。なお、上記固定ナット４３が上記軸部４４から取り外されることによって、ウエイトピン４１はグリップ１２から簡単に取り外され、他の貫通孔４６に再び装着され得る。
【００２８】
本実施形態に係る釣竿４０では、貫通孔４６に紐等が連結され得ることに加えて、ウエイトピン４１が設けられることによって、釣竿４０は、その重量バランスが調整される。釣人は、ウエイトピン４１を所望の貫通孔４６に装着することによって、所望する釣竿４０の重量バランスを実現することができるという利点がある。
【００２９】
図６は、本実施形態の変形例に係る釣竿の断面図である。当該変形例に係る釣竿５０が上記釣竿４０と異なるところは、ウエイトピン５１がロープ連結部５２を備えている点であり、これにより、紐ないしロープ等の釣竿を固定することができる部材がウエイトピン５１に連結され得るようになっている。なお、その他の構成は、上記釣竿４０と同様である。
【００３０】
図７は、本変形例に係るウエイトピン５１の要部拡大斜視図である。
ウエイトピン５１は、本体５３と固定ナット５４とを備えている。本体５３は、軸部５５及び頭部５６を有しており、軸部５５は、上記貫通孔４６に挿通されるようになっている。本体５３の頭部５６は、その外径寸法が上記貫通孔４６の端部５７の内径寸法に対応されており、当該端部５７に嵌め込まれるようになっている。また、上記固定ナット５４は、その外径寸法が上記貫通孔４６の端部５８の内径寸法に対応されており、当該端部５８に嵌め込まれるようになっている。固定ナット５４の内端面５９には、凹部６０が設けられており、この凹部６０の内周面に雌ねじ６１が形成されている。上記軸部５５に形成されたねじ部４９は、この凹部６０にねじ込まれるようになっている。
【００３１】
ロープ連結部５２は、フレーム６２と、フレーム６２に設けられた環状部６３とを備えている。これらフレーム６２及び環状部６３は、ウエイトピン５１の頭部５６の端面６４に設けられた凹部６５内に収容されている。フレーム６２は、同図が示すように細長に形成された板状部材からなる。フレーム６２の中心部は、上記凹部６５の底面の中央部に回動自在に取り付けられている。具体的には、フレーム６２の中央部に中心ピンが立設されており、この中心ピンが上記凹部６５の底面中央部に設けられたピン支持孔に挿通支持されている。
【００３２】
環状部６３は、半円形状に形成されており、その両端部が上記フレーム６２の両端部に回動自在に連結されている。したがって、環状部６３は、同図が示すように、上記凹部６５内に収容された姿勢と、凹部６５から突出した姿勢（二点鎖線でしめされた姿勢）との間で自在に姿勢変化が可能となっている。
【００３３】
このロープ連結部５２は、固定ナット５４にも設けられている。固定ナット５４に設けられたロープ転結部５２も、前述と同様の構成である。
【００３４】
本変形例に係る釣竿５０では、ウエイトピン５１にロープ連結部５２が設けられているから、ウエイトピン５１に紐等が連結される。つまり、ウエイトピン５１は、ロープを連結する部材を兼ねることになる。したがって、上記釣竿４０では、紐等がグリップ１２の貫通孔４６に連結された場合には、ウエイトピン４１は、当該貫通孔４６には装着されず、そのため、釣竿４０が釣人の所望するウエイトバランスに調整されるためには、上記紐等を他の貫通孔４６に連結し直す必要があった。これに対し、本変形例に係る釣竿５０では、上記紐等はウエイトピン５１に直接連結されるから、ウエイトピン５１がいずれの貫通孔４６に装着される場合であっても、釣人は、紐等を連結し直す必要はなく、釣竿５０のウエイトバランスを所望に調整することが可能である。
【００３５】
加えて、上記環状部６３は、常時はウエイトピン５１の上記凹部６５内に収容され得るから、例えば釣人がキャスティングを行う際に、環状部６３が邪魔になることはないという利点もある。
【００３６】
なお、本変形例では、ロープ連結部５２は、半円形状の環状部６３及びこれを支持するフレーム６２とを備えているが、かかる構成に限定されるものではなく、要するに、紐ないしロープ等の釣竿を固定する部材が着脱自在に連結されるように構成されていればよい。
【産業上の利用可能性】
【００３７】
本発明は、釣竿、好適には投釣り用の釣竿に適用され得る。
【図面の簡単な説明】
【００３８】
【図１】図１は、本発明の第１の実施形態に係る釣竿の正面図である。
【図２】図２は、本発明の第１の実施形態に係る釣竿の要部拡大斜視図である。
【図３】図３は、図２におけるIII−III断面図である。
【図４】図４は、本発明の第１の実施形態の変形例に係る釣竿の断面図である。
【図５】図５は、本発明の第２の実施形態に係る釣竿の断面図である。
【図６】図６は、本発明の第２の実施形態の変形例に係る釣竿の断面図である。
【図７】図７は、本発明の第２の実施形態の変形例に係るウエイトピンの要部拡大斜視図である。
【符号の説明】
【００３９】
１０・・・釣竿
１１・・・釣竿本体
１２・・・グリップ
１５・・・第３番節
２４・・・先端部
２５・・・後端部
２６〜３０・・・貫通孔
４０・・・釣竿
４１・・・ウエイトピン
４２・・・本体
４３・・・固定ナット
４４・・・軸部
４５・・・頭部
４６・・・貫通孔
４７・・・端部
４８・・・端部
４９・・・ねじ部
５０・・・釣竿
５１・・・ウエイトピン
５２・・・ロープ連結部
５３・・・本体
５４・・・固定ナット
５５・・・軸部
５６・・・頭部
５７・・・端部
５８・・・端部
５９・・・内端面
６０・・・凹部
６１・・・雌ねじ
６２・・・フレーム
６３・・・環状部
６５・・・凹部
【図１】
0004619667.tif 000002
【図２】
0004619667.tif 000003
【図３】
0004619667.tif 000004
【図４】
0004619667.tif 000005
【図５】
0004619667.tif 000006
【図６】
0004619667.tif 000007
【図７】
0004619667.tif 000008